(57)【要約】【課題】  液晶によることなく遮光を可能にし、製造の容易化、低コスト化を図り、また遮光色の選定や照度調整も、簡単、安価にできるようにする。【解決手段】  透明状の板材１と、この板材１の端部に設ける光源２とを備える。板材１の両面に、光源２からの光を外方に乱反射させる反射パターン３を、一方の面と他方の面とで位置をずらして形成する。この場合、反射パターン３を、ほぼ正弦波状に形成し、反射光を板材１の全体で均一に得られるよう光源２から遠ざかるほど密度が高い状態に形成するのが良い。また光源２をフルカラーＬＥＤで形成し、光源２の配色と照度を調整する制御部７を備えて形成するのが好ましい。【選択図】      図１
2010222840.tif 000002
【特許請求の範囲】
【請求項１】
透明状の板材と、この板材の端部に設けられている光源とを備えて形成されている遮光装置であって、上記の板材の両面に、光源からの光を外方に乱反射させる反射パターンが、一方の面と他方の面とで位置がずらされて形成されていることを特徴とする遮光装置。
【請求項２】
請求項１記載の遮光装置であって、反射パターンが、ほぼ正弦波状に形成され、反射光を板材の全体で均一に得られるよう光源から遠ざかるほど密度が高い状態に形成されていることを特徴とする遮光装置。
【請求項３】
請求項１又は２記載の遮光装置であって、光源がフルカラーＬＥＤで形成され、光源の配色と照度を調整する制御部を備えて形成されていることを特徴とする遮光装置。
【発明の詳細な説明】
【技術分野】
【０００１】
本発明は、遮光装置に関し、更に詳しくは間仕切りやディスプレイ等に使用する遮光装置に関するものである。
【背景技術】
【０００２】
従来、この種の遮光装置としては、例えば図１１に示されるように、絶縁ガラスａ（透明フィルム）間に、透明電極層ｂと液晶層ｃとが積層されているものがある。
この従来品は、電極層ｂに電源ｄから交流電圧を印加すると、液晶分子が整列してガラスａが透明になり、不印加のときは液晶分子が整列しないため遮光するものである（その他、例えば特許文献１参照）。
【０００３】
ところで、この種の装置は、例えば間仕切り等の主要な構成部品であるから、間仕切り等の価格を安価にできるよう、また使い勝手が良くなるよう、形成されているのが望ましい。
しかるに従来品は、上記の通り、液晶使用のためコストが増加し、また遮光時の色や駆動電圧が使用する液晶で決定され、更には構造が複雑なため組立て精度が高く要求され、使い勝手が悪い、という問題点があった。
【先行技術文献】
【特許文献】
【０００４】
【特許文献１】特開平５−１７０４９１号公報
【発明の概要】
【発明が解決しようとする課題】
【０００５】
本発明は、このような従来品の問題点に鑑み、提案されたものである。
従って本発明の解決しようとする技術的課題は、液晶によることなく遮光を可能にし、製造が容易で低コスト化でき、遮光色の選定や照度調整も、簡単、安価にできるよう形成した遮光装置を提供することにある。
【課題を解決するための手段】
【０００６】
本発明は、上記の課題を解決するため、次のような技術的手段を採る。
即ち本発明は、図１等に示されるように、透明状の板材１と、この板材１の端部に設けられている光源２とを備えて形成されている遮光装置であって、上記の板材１の両面に、光源２からの光を外方に乱反射させる反射パターン３が、一方の面と他方の面とで位置がずらされて形成されていることを特徴とする（請求項１）。
【０００７】
本発明の場合、板材１は、透明ガラスや透明樹脂材で形成される。光源２は、電球、冷陰極管、蛍光灯、発光ダイオード（ＬＥＤ）等がある。この場合、着色ガラス等や、またフルカラーＬＥＤを使用すると、遮光色の選定や照度調整を、簡単、安価にできる。また反射パターン３としては、例えば正弦波状（図２参照）、三角波状（図３、図４参照）、のこぎり波状（図５参照）、方形波状（図６参照）等がある。反射パターン３は、レーザー加工や切削刃等による機械加工によって形成される。またここで、位置がずらされて、とは、一方の面と他方の面の反射パターン３が互いに作用し合って多くの乱反射光が得られる状態を意味する。反射パターン３は、具体的には、図２に示されるように、波形（線）の一部が交差する状態や、図３に示されるように、一方の面と他方の面とで波形が間に入るよう位置がずらされ、波形が重ならない状態に形成されることで実現される。
【０００８】
而して本発明は、反射パターン３が、ほぼ正弦波状に形成され、反射光を板材１の全体で均一に得られるよう光源２から遠ざかるほど密度が高い状態に形成されているのが好ましい（請求項２）。
なぜならこれによると、非遮光時の美感が良くなり、また遮光時は板材１の全面で反射光を均一化できるからである。ここで、ほぼ正弦波状とは、正弦波状（図２参照）のほか、三角波状（図３、図４参照）も含まれる、ということを意味する。
【０００９】
また本発明は、図７に示されるように、光源２がフルカラーＬＥＤで形成され、光源２の配色と照度を調整する制御部７を備えて形成されているのが好ましい（請求項３）。
なぜならこれによると、遮光色や照度調整を一層容易に実現できるからである。
【発明の効果】
【００１０】
本発明は、このように透明状の板材と、この板材の端部に設けられている光源とを備えて形成されている遮光装置であって、上記の板材の両面に、光源からの光を外方に乱反射させる反射パターンが、一方の面と他方の面とで位置がずらされて形成されているものである。
従って本発明によれば、液晶によることなく簡単な構造で遮光でき、装置を低コスト化できる。またこれによると、板材や光源の色、及び光源の照度を適宜選定することで、遮光色や照度の選定、調整を、簡単化、低コスト化でき、使い勝手が良くなるものである。
【図面の簡単な説明】
【００１１】
【図１】本発明装置の好適な一実施例を示し、Ａは遮光状態の要部側面図、Ｂは透光状態の要部側面図である。
【図２】同上装置の反射パターンを示す要部正面図である。
【図３】同上装置の他の反射パターンを示す要部正面図である。
【図４】同上装置の他の反射パターンを示す要部正面図である。
【図５】同上装置の他の反射パターンを示す要部正面図である。
【図６】同上装置の他の反射パターンを示す要部正面図である。
【図７】光源の他の構成を示すブロック図である。
【図８】同上装置の他の実施例を示す要部側面図である。
【図９】図８の装置の反射パターンを示す要部正面図である。
【図１０】同上装置の更に他の実施例を示す要部正面図である。
【図１１】従来例を示す要部構成図である。
【発明を実施するための形態】
【００１２】
以下、本発明を実施するための形態を、添付図面に基づいて説明する。
【実施例１】
【００１３】
本発明は、図１等に示されるように、例えばガラス製の透明状の板材１と、この板材１の端部に設けられている光源２とを備えて形成されている。そして本発明は、上記の板材１の両面に、光源２からの光を外方に乱反射させる反射パターン３が、一方の面と他方の面とで位置がずらされて形成されている。
【００１４】
上記の光源２は、この実施例では棒状の蛍光灯で形成され、交流または直流電源で駆動し、白色光を放出する。またこの光源２は、板材１の片側端部に設けられている。
４は、光源２の反射効率を良くするための反射板である。この反射板４は、光源２側と、その反対側の対向位置である、板材１の端部とに設けられている。
【００１５】
また反射パターン３は、この実施例では図２に示されるように、例えばレーザー加工により正弦波状に形成されている。この反射パターン３は、光源２から遠ざかるほど線間隔と曲線幅を狭くして密度が高くなるよう形成され、光路内の全面において反射光量が均一になるよう形成されている。
【００１６】
次に本発明品の作用を説明する。
本発明品は、光源２のスイッチが入ると、図1Ａに示されるように、光が板材１の中を通り、光路内は反射パターン３により、反射光が明るく均一に充満する。従って外部からの光線５は、遮光される。また反射パターン３に向かう外部からの光線６は、反射パターン３により反射され、光路内に入らず遮光される。従って光源２が点灯すると、遮光され、本発明を間仕切りとして実現したときは、板材１の後方を遮蔽できる。
【００１７】
また光源２のスイッチが切られ、非点灯のときは、図1Ｂに示されるように、光路内に反射光がないため、外部からの光線５は板材１の両面を通過する。従って板材１が無色なら、無色透明になり、着色されている場合は、着色透明になる。そのため、間仕切りの場合は、使用者に室内空間を広く感じさせることができる。
【実施例２】
【００１８】
また本発明品は、図７に示されるように、光源２が、赤色、青色、緑色のＬＥＤ（発光ダイオード）が組み合わされたフルカラーＬＥＤで構成され、光源２の配色と照度を調整する制御部７を備えて形成されているのでも良い。制御部７は、この実施例ではマイコン（マイクロコンピュータ）７ａと、調光調節器７ｂ、及び直流電源７ｃとを備えて構成されている。電源７ｃは、マイコン７ａに給電する。そしてマイコン７ａは、調光調節器７ｂで赤、青、緑の各色照度に調光する。マイコン７ａは、調光されたＰＷＭ信号を光源２としてのフルカラーＬＥＤに供給し、必要な配色と照度を得る。従って光源２がフルカラーＬＥＤのこの実施例の場合は、配色した色で遮光することができる。
【実施例３】
【００１９】
また本発明品は、図８、図９に示されるように、光源２が板材１の両側端部に対向状に設けられ、板材１の全体で反射光が均等になるよう、反射パターン３が光源２から遠ざかるほど密度が高い状態に、即ち板材１の中央部なるほど密度が高くなるよう形成されているのでも良い。
この実施例の場合は、光路が長い場合、換言すると板材１が長い場合でも、板材１の全面から満遍なく光を反射して遮光できる。
【実施例４】
【００２０】
また本発明品は、図１０に示されるように、板材１が所定の角度に屈曲形成されているのでも良い。この実施例の場合、光源２は、板材１の両側端部に対向状に設けられている。また反射パターン３は、板材１の全体で反射光が均等になるよう、光源２から遠ざかるほど密度が高い状態に形成されている。具体的には、板材１の屈曲箇所の近くになるほど反射パターン３の密度が高められている。
この実施例の場合も、光源２を点灯消灯操作することにより、遮光と光の透過を行なえる。そしてこれによれば、屈曲状の間仕切り等を実現できる。
【産業上の利用可能性】
【００２１】
本発明は、室内等を仕切る間仕切りとして使用できる。またショーウインドーやイベント等のディスプレーとして、アイキャッチャー効果を得るのに使用することができる。
【符号の説明】
【００２２】
１      板材
２      光源
３      反射パターン
【図１】
2010222840.tif 000003
【図２】
2010222840.tif 000004
【図３】
2010222840.tif 000005
【図４】
2010222840.tif 000006
【図５】
2010222840.tif 000007
【図６】
2010222840.tif 000008
【図７】
2010222840.tif 000009
【図８】
2010222840.tif 000010
【図９】
2010222840.tif 000011
【図１０】
2010222840.tif 000012
【図１１】
2010222840.tif 000013